(57)【要約】【課題】扉や機械式錠前に対して、極力、孔、切欠等の加工を施さないで電気錠の制御箱を後付することができること。【解決手段】扉の内部空間７０に取付けられ、かつ、少なくともサムターンダルマ７１と内側ハンドル用カム軸７９を有する機械式錠前１と、この機械式錠前の前記サムターンダルマとカム軸が見える複数個の孔８１．８２が形成されている扉１３の内壁面２２と、この内壁面２２に位置決めされた状態で添設され、かつ、第１固着具３９、該第１固着具３９と螺合するメネジ杆２１を有する外側ハンドル用取付け座２０を介して該内壁面２２に固定された取付け板４０と、この取付け板に形成された開口部８５を介して軸４８ａが前記サムターンダルマ７１に連係されたサムターン４８を備えた後付け制御箱４５とから成る機械式錠前に対する電気錠の制御箱の取付構造。【選択図】  図１５
2005023649.tif 000002
【特許請求の範囲】
【請求項１】
扉の内部空間に取付けられ、かつ、少なくともサムターンダルマと内側ハンドル用カム軸を有する機械式錠前と、この機械式錠前の前記サムターンダルマとカム軸が見える複数個の孔が形成されている扉の内壁面と、この内壁面に位置決めされた状態で添設され、かつ、第１固着具、該第１固着具と螺合するメネジ杆を有する外側ハンドル用取付け座を介して該内壁面に固定された取付け板と、この取付け板に形成された開口部を介して軸が前記サムターンダルマに連係されたサムターンを備えた後付け制御箱とから成る機械式錠前に対する電気錠の制御箱の取付構造。
【請求項２】
請求項１に於いて、扉の外壁面１４には、前面に入力手段用の収納部２６を有する取付けベース板２５が固定されていることを特徴とする電気錠の制御箱の取付構造。
【請求項３】
請求項１に於いて、取付け板４０には、扉１３の外壁面に固定された入力部材側のコネクタ３１と、これに電気的に接続した制御箱側のコネクタ２４とを収納する切欠凹所８６が形成されていることを特徴とする電気錠の制御箱の取付構造。
【請求項４】
請求項１に於いて、錠箱２には、少なくとも１つのメネジ部７６を有する連結部材７２が固定され、取付け板４０は、該取付け板の上面に位置決めされた状態で添設された支持板９１及び前記メネジ部に螺合する第２固着具７７を介して固定されていることを特徴とする電気錠の制御箱の取付構造。
【請求項５】
請求項４に於いて、支持板９１には、制御箱４５用の取付け部９７が形成されていることを特徴とする電気錠の制御箱の取付構造。
【請求項６】
扉の内部空間に取付けられ、かつ、少なくともサムターンダルマと内側ハンドル用カム軸を有する機械式錠前と、この機械式錠前の前記サムターンダルマとカム軸が見える複数個の孔が形成されている扉の内壁面と、この内壁面に位置決めされた状態で添設され、かつ、第１固着具、該第１固着具と螺合するメネジ杆を有する外側ハンドル用取付け座を介して該内壁面に固定された取付け板と、この取付け板の上面に位置決めされた状態で添設固定された支持板と、この支持板に取外し可能に固定された後付け制御箱とから成り、前記制御箱は、前記支持板の孔及び取付け板に形成された開口部を介して軸が前記サムターンダルマに連係されたサムターンを備えていることを特徴とする電気錠の制御箱の取付構造。
【請求項７】
請求項６に於いて、後付け制御箱４５は、支持板の左右に突出形成された係合片１０１を介して該支持板に係脱することを特徴とする電気錠の制御箱の取付構造。
【請求項８】
請求項６に於いて、後付け制御箱４５は、支持板に螺合する取付け手段１００を介して該支持板に固定されていることを特徴とする電気錠の制御箱の取付構造。
【請求項９】
請求項６に於いて、取付け板には、内側ハンドル用の嵌挿孔８８が形成されていることを特徴とする電気錠の制御箱の取付構造。
【請求項１０】
請求項６に於いて、支持板には、入力部材側のコネクタ３１を引き出すための窓９４が形成されていることを特徴とする電気錠の制御箱の取付構造。
【発明の詳細な説明】
【０００１】
【発明の属する技術分野】
本発明は、シリンダ錠や操作部材（ノブ、レバーハンドル）を備え、手動式で施・解錠する機械式錠前に、電気錠の制御箱を後付する機械式錠前に対する電気錠の制御箱の取付構造に関する。
【０００２】
【従来の技術】
先行技術開示義務として、（１）特開平１０−１８４１２６号公報、（２）特許第３３３３１６８号、（３）特開２００３−７４２２６を記載する。前記（１）の公開公報の図７には、扉に矩形状の切欠部を形成し、電源部及び制御部を内装する制御箱を取付ける考え方が開示されている。前記（２）特許公報には、扉の室外側の錠箱から離間した上方部位に円形切欠部を形成し、該切欠部にＩＣカードの情報を読み取る円盤型のカードリーダを取付ける考え方が開示されている。なお、円盤型のカードリーダは、裏側にメネジ杆を有し、扉の内壁面から差し込まれかつ前記メネジ杆に螺合する固着具により扉に固定されている。前記（３）の公開公報には、扉の内部にタグ式の情報記憶媒体の情報を読み取る回路部、判別回路部、制御回路部、電源部など制御部を内臓する考え方が開示されている。
【０００３】
ところで、現在、シリンダ錠や操作部材を備え、手動式で施・解錠する錠前に、電気錠の入力部材及び制御部を有する制御箱を後付し、施・解錠操作が容易な電気錠の機能を付加する技術が要望されている。
しかしながら、前記（１）乃至（３）の公報記載のように、扉に追加加工を施し、入力部材又は／及び制御箱を後付することは、特に集合住宅の転居・入居などの事情を考慮すると、「扉に対する現状回復義務」との関係で問題がある。
【０００４】
【発明が解決しようとする課題】
本発明の主たる目的は、特に集合住宅の転居・入居時に扉に対する現状回復義務との関係を考慮し、扉や機械式錠前に対して、極力、孔、切欠等の加工を施さないで電気錠の制御箱を後付することを目的とする。また本発明は、前記主たる目的を前提にし、ハンドル用取付け座、固着具等を利用して、扉の内壁面に制御箱を簡単かつ強固に固定することを目的とする。本発明の第３の目的は、特に扉がアルミニューム製の場合、扉の内壁面が変形しないように制御箱を固定することができることである。本発明の第４の目的は、扉の外壁面側に固定された電気錠の入力部材のコネクタと、扉の内壁面側に固定された電気錠の制御箱のコネクタを扉の内壁面側に固定された取付け板に合理的に収納できることである。加えて、機械式錠前に電気錠の他の機能（入力部材）を加味し、該錠前を電動式でも施・解錠することができるようにすることである。
【０００５】
【課題を解決するための手段】
本発明の機械式錠前に対する電気錠の制御箱の取付構造は、扉の内部空間７０に取付けられ、かつ、少なくともサムターンダルマ７１と内側ハンドル用カム軸７９を有する機械式錠前１と、この機械式錠前の前記サムターンダルマとカム軸が見える複数個の孔８１．８２が形成されている扉１３の内壁面２２と、この内壁面２２に位置決めされた状態で添設され、かつ、第１固着具３９、該第１固着具３９と螺合するメネジ杆２１を有する外側ハンドル用取付け座２０を介して該内壁面２２に固定された取付け板４０と、この取付け板に形成された開口部８５を介して軸４８ａが前記サムターンダルマ７１に連係されたサムターン４８を備えた後付け制御箱４５とから成る。
【０００６】
また、本発明の機械式錠前に対する電気錠の制御箱の取付構造は、扉の内部空間７０に取付けられ、かつ、少なくともサムターンダルマ７１と内側ハンドル用カム軸７９を有する機械式錠前１と、この機械式錠前の前記サムターンダルマとカム軸が見える複数個の孔８１．８２が形成されている扉１３の内壁面２２と、この内壁面２２に位置決めされた状態で添設され、かつ、第１固着具３９、該第１固着具３９と螺合するメネジ杆２１を有する外側ハンドル用取付け座２０を介して該内壁面２２に固定された取付け板４０と、この取付け板４０の上面に位置決めされた状態で添設固定された支持板９１と、この支持板に取外し可能に固定された後付け制御箱４５とから成り、前記制御箱は、前記支持板の孔９２及び取付け板に形成された開口部８５を介して軸４８ａが前記サムターンダルマ７１に連係されたサムターン４８を備えていることを特徴とする。
【０００７】
ここでは「機械式錠前」とは、公知、新規とを問わず、シリンダ錠や操作部材を備え、手動式で施・解錠する錠前のことを言う。
【０００８】
【発明の実施の形態】
まず、図１乃至図３を参照にして電気錠の入力部材の取付構造について説明する。電気錠の入力部材は、扉の内部空間に取付けられ、かつ、少なくともシリンダ錠用第１嵌合孔、外側ハンドル用第２嵌合孔を有する機械式錠前と、この機械式錠前の前記嵌合孔にそれぞれ符合する複数個の扉側の孔が形成されている扉の外壁面と、前記機械式錠前側の孔（嵌合孔）並びに扉側の孔にそれぞれ符合する上下の開口（嵌挿孔）を有すると共に、前面に突設形成された入力手段用の収納部を有し、かつ、前記上方の嵌挿孔に嵌入するシリンダ錠及び下方の嵌挿孔に軸部が嵌入する外側ハンドルを介して扉の外壁面に固定的に添設される長板状取付け入力板とから成る。
【０００９】
そこで、前記各構成要件について具体的に説明する。図１の（イ）は、シリンダ錠や操作部材を備え、手動式で施・解錠する錠前（以下、「機械式錠前」と称する。）１の一例を示す。この機械式錠前１は、シリンダ錠及びサムターンを有する。ここでは説明の便宜上、扉の表側に取り付けられるシリンダ錠、シリンダ錠用ダルマ、扉の裏側（内壁面側）に取り付けられるサムターン、サムターンダルマ、仮施錠部材などは省略してある。
【００１０】
機械式錠前１は、錠箱２の内部に施・解錠機構を有する。また機械式錠前１は、デッドボルト３とラッチボルト４を備えている。錠前１は既存の手動式で施・解錠する錠であることから、前記デッドボルト３はシリンダ錠に合鍵を差し込んで操作すると、又はサムターンを指で摘んで操作すると錠箱２のフロントを基準にして出没する。
【００１１】
さて、図１（イ）は扉の外壁面側から見た正面図であるが、この正面図を基準にすると、５は錠箱２の上部に形成された第１嵌合孔（錠箱側の開口）で、この第１嵌合孔５には図２で示すシリンダ錠７が取り付けられる。一方、６は錠箱２の下部に形成された第２嵌合孔で、この第２嵌合孔６には、図３で示す外側ハンドル８が取り付けられる。外側ハンドル８の軸部は、錠箱２の第２嵌合孔６から見えるハンドル用カム軸９に嵌入し、内側ハンドル１０と一体的に連結（連係）される。
【００１２】
１１は錠箱２の第２嵌合孔６を基準にして左右の部位にそれぞれ形成されたハンドル座取付け用の係合部（円形孔や弧状切欠）である。
【００１３】
次に図１の（ロ）は、機械式錠前１が扉１３の内部空間に内装された「彫り込み型（埋設型）」の一例を扉１３の外壁面１４側から示している。１４は扉１３の外壁面で、この外壁面１４には、前記錠箱２に形成された嵌合孔５．６及び係合部１１．１１に符合する複数個の扉孔が形成されている。
【００１４】
すなわち、１５は錠箱２の第１嵌合孔５に一致する扉第１嵌合孔（開口）で、この扉第１嵌合孔１５は第１嵌合孔５よりもやや大径である。１６は錠箱２の第２嵌合孔６に略一致する扉第２嵌合孔である。１７．１７は、錠箱２の左右の係合部１１．１１と符合する扉貫通孔で、これらの扉貫通孔１７．１７には、外側ハンドル８用の取付け座２０の左右一対のメネジ杆２１．２１が嵌入する。
なお、前記扉貫通孔１７．１７は、扉第２嵌合孔１６と連通状態であっても構成・機能は同一である。
【００１５】
錠箱２側の孔（嵌合孔或いは開口）も扉１３側の孔（嵌合孔或いは開口）も、普通一般に既存の孔である。また、錠箱２の係合部１１も錠箱の大きさによっては形成部位が異なるものの既存のものである。
【００１６】
次に図２及び図３は、本発明と関連する電気錠Ｘの取付け入力板（入力部材）２５を示す。この取付け入力板２５は機械式錠前１に電気錠Ｘの機能の一部を加味（付加）するための構成部材の一つである。本発明では、機械式錠前１の錠箱２及び扉１３の内壁面に、極力切欠、孔等の加工をしないようにするために、後述する内壁面側の取付け板４０を採用しているが、外壁面側の取付け入力板２５の取付けに関しても、同様に外壁面１４に極力切欠、孔等の加工をしない工夫をしている。
【００１７】
ここで、取付け入力板２５の構成について説明する。この取付け入力板２５は、シリンダ錠７と外側ハンドル８とを上下に所要の間隔を有してそれぞれ装着することができるように縦長状に形成されている。
【００１８】
しかして、２６は取付け入力板２５の前面中央部にケース状に突出形成された入力手段用収納部で、該収納部２６の裏側は開口している。該収納部２６には、制御部起動用の起動スイッチ２７及び入力部の一例としてのアンテナ２８ａを備えた受信部２８や送信部２９が設けられている。起動スイッチ２７は押しボタン式であり、ボタンスイッチは、収納部２３の外壁に形成した楕円状孔２６ａから露呈している。
【００１９】
３０は起動スイッチ２７及び入力部２８用のリード線或いはハーネスで、このリード線３０の先端部にはコネクタ３１が設けられている。コネクタ３１は、扉１３の内壁面２２側に設けられた制御箱４５から飛び出たリード線或いはハーネス２３のコネクタ２４と適宜に接続される。入力部側のコネクタ３１は、扉１３の扉第１嵌合孔１５等を介して扉の内壁面２２側に導かれる。
【００２０】
３２は取付け入力板２５の上端部に形成されたシリンダ錠用嵌挿孔である。３３は嵌挿孔３２に連通するように取付け入力板２５の上端部裏面に突出形成された嵌合筒部である。この嵌合筒部３３は扉１３の扉第１嵌合孔１５に嵌合する（図３参照）。
【００２１】
嵌合筒部３３及び前記嵌挿孔３２には、シリンダ錠７の外筒７ａが嵌入する。したがって、シリンダ錠７の外筒７ａが嵌合筒部３３及び前記嵌挿孔３２に嵌合すると、シリンダ錠７の中空すい台状の化粧筒７ｂの内周端が取付け入力板２５の前面２５ａに当接する。
【００２２】
一方、３５は取付け入力板２５の下端部の中央部に形成されたハンドル用嵌挿孔で、このハンドル用嵌挿孔３５は、錠箱２の第２嵌合孔６及び扉外壁面１４の扉第２嵌合孔１６に符合する。したがって、このハンドル用嵌挿孔３５には外側ハンドル８の軸部が嵌入する。
【００２３】
３６．３６は取付け入力板２５の下端部の左右に形成された左右一対の取付け孔で、これらの取付け孔３６．３６は、錠箱２の係合部１１．１１及び扉外壁面１４の扉貫通孔１７．１７と符合する。なお、左右一対の取付け孔３６．３６は、機械式錠前１の型式如何によっては、ハンドル用嵌挿孔３５の一部を構成する切欠部と成る。
【００２４】
したがって、これらの取付け孔３６．３６、扉貫通孔１７．１７、及び係合部１１．１１には、前述した少なくとも外側ハンドル用の取付け座２０の左右のメネジ杆２１．２１が嵌入する。１又は２のメネジ杆２１．２１が扉の内壁面２２側から嵌入すると、図３で示すように、単数又は複数個の固着具３９（オネジ螺杆）がメネジ杆２１．２１に螺合する。
【００２５】
前記固着具３９は、扉１３の内壁面に添設された裏側の長板状取付け板４０の下部取付け孔４１に差し込まれた状態で取付け座２０の左右のメネジ杆２１．２１に螺合する。
【００２６】
したがって、本実施例の表側の取付け入力板２５は、下部側の外側ハンドル用の取付け座２０と上部側のシリンダ錠７の化粧筒７ｂの両方によって扉の外壁面に強固に固定される。この場合、取付け入力板２５は、望ましくは既存の外側ハンドル用の取付け座２０などを介して扉１３の外壁面１４に固定される。
すなわち、取付け入力板２５は、さらに、該取付け入力板の前面２５ａに添設され、かつ、該取付け入力板、扉の孔、及び機械式錠前の係合部にそれぞれ嵌入するメネジ杆２１を有する取付け座２０と、扉の内壁面２２に添設される裏側の取付け板４０の取付け孔４１から差し込まれ、かつ、前記メネジ杆２１に螺合する第１固着具３９を介して扉の外壁面１４に強固に固定される。
【００２７】
次に、図３の符号４０は、扉１３の内壁面２２に位置決めされた状態で添設され、かつ、取付け孔４１に差し込まれた第１固着具３９、該第１固着具３９と螺合するメネジ杆２１を有する外側ハンドル用取付け座２０を介して前記内壁面２２に固定された取付け板である。この取付け板の外壁面に直接又は間接的に制御箱４５が取付けられる。
【００２８】
この制御箱４５は電源部（電池）４６、主な回路或いは機能を有する制御部４７、駆動源（駆動モータ）、及び動力伝達機構を内装している。そして、制御箱４５の下端部側にはサムターン４８が設けられている。サムターン４８の軸４８ａは後述する連結部材７２のサムターンダルマ（デッドボルト用のデッドカム）７１の軸孔に直接又は係合短筒を介して嵌入する。したがって、サムターン４８の軸４８ａとサムターンダルマは直接又は間接的に連係する。
【００２９】
ここで、本発明の主要部である電気錠Ｘの制御箱４５の取付構造を説明する前に、図４及び図５を参照にして機械式錠前１に後付けする入力部材２５及び制御箱４５の電気回路を説明する。
【００３０】
５０は合鍵で、この合鍵５０には、リングなどを介して携帯型情報記憶媒体（ダグタイプ、カードタイプなど）５１が吊り下っている。情報記憶媒体５１は、俗に「ＩＣカード」とも称されている。
【００３１】
情報記憶媒体５１は、電気錠Ｘの受信部２８に接近すると（所定の領域内に入り込むと）、アンテナ５２で受信した大きい電波をエネルギー源に用いて受信部５３で電気を生成させ、データ制御回路５４を起動させる。そこで、データ制御回路５４は、識別コードを格納した携帯メモリー５５にアクセスして該識別コードを取得し、送信部５６に出力し続ける。
【００３２】
ところで、本実施例の電気錠Ｘは、携帯型情報記憶媒体５１が取付け入力板２５の受信部２８に接近しただけでは、制御部４７は起動しない。制御部４７を起動させるためには、まず、起動用スイッチ２７をオン（ＯＮ）にさせる必要がある。
【００３３】
そこで、情報記憶媒体５１の所持者は、起動用スイッチ２７を押す。起動用スイッチ２７を押すと、起動信号が制御部４７に送られるので、制御部４７は情報記憶媒体５１の該識別コードを読み取ることが可能な状態になる。そこで、情報記憶媒体５１の所持者は、当該情報記憶媒体５１を取付け入力板２５の受信部２８に「かざす」、或いは「あてがう」ようにする。
【００３４】
そうすると、非接触型のアンテナ２８ａを有する受信部２８は、前記送信部５６から投げられた識別信号（識別コード）ｂを受信して制御部４７へと送る。制御部４７のデータ読み取り回路６０は、情報記憶媒体５１の識別信号ｂを読み取る。データ照合判別回路６１は、メモリー６２に登録されている正規情報と当該識別信号ｂとが一致する否かを照合し、かつ、判別する。
【００３５】
データ照合判別回路６１が「当該識別信号ｂは正規のものである」と判別した時、制御部４７はタイマー回路を備えた駆動源制御回路６３の指令に基づいて駆動源６４を起動させる。駆動源６４が起動すると、減速機構、クラッチ機構などを備えた動力伝達機構６５が作動する。動力伝達機構６５が作動すると、錠箱２内の施・解錠機構６６を介してデッドボルト３が解錠方向へと後退する。
【００３６】
以上が、本発明の実施の環境についての説明である。そこで、本発明の主要部である電気錠Ｘの制御箱４５の取付構造を、主に図６乃至図１５を参照して説明する。
【００３７】
まず、図６は扉１３の戸先側の内部空間７０に機械式錠前１が組み込まれている状態を扉の内壁面２２側から見た背面図である。図６を基準にすると、錠箱２の前述した第１嵌合孔５に対応する部位にも当然のことながら、サムターンダルマ用の嵌合孔が形成されている。
【００３８】
本実施例では、錠箱２の一側壁２ａの上部に形成された嵌合孔にサムターンダルマ（デッドボルト用のデッドカム）７１を有する連結部材７２が上下の差込アーム部７３．７３を介して固定されている。もちろん、連結部材７２は、公知のようにフロント板から串刺し状に差し込まれる二本の挿入棒を介して錠箱２に固定しても良い。
【００３９】
連結部材７２は、本実施例では、図１０で示すように、錠箱２の一側壁２ａに固定アーム部を介して突出状態に適宜固定されている。しかして、７４は外壁面が小判型状の連設部材７２の中央部に形成された環状メネジ部である。この環状メネジ部７４は、サムターン軸用の被係合部７１ａに対して多少の環状間隙７５を設けて形成され、該環状メネジ部７４には、図示しない幾つかの機能を有する調整受け部材が螺合する。
【００４０】
７６．７６は、連設部材７２に形成された左右一対の連結用メネジ部で、これらのメネジ部７６．７６には、図１５で示すように取付け板４０を間接的に扉１３の内壁面２２に固定するための第２固着具７７．７７が螺合する。
【００４１】
また錠箱２の下部には、前述した第２嵌合孔６に相当する内側ハンドル用の嵌合孔７８が形成され、該嵌合孔７８からは内側ハンドル用のカム軸７９が見える。また錠箱２の係合部１１．１１には、外側ハンドル用取付け座２０のメネジ杆２１．２１が見える。さらに、入力部材のリード線３０及びコネクタ３１が、扉第１嵌合孔１５を通して手前側（扉の内壁面側の意味）に引き出されている。
【００４２】
図７は扉１３の内壁面２２から見た状態である。図２で説図したように、扉１３の内壁面２２にも、扉の外壁面１４と同様に扉孔が幾つか形成されている。すなわち、８１はサムターン部材との関係で形成された比較的大きな扉第１嵌合孔或いは開口、８２は内側ハンドル軸との関係で形成された扉第２嵌合孔或いは開口、８３．８３はメネジ杆２１．２１とそれぞれ螺合する第１固着具３９．３９用の扉貫通孔である。なお、扉貫通孔８３は扉第２嵌合孔８２と連通状態であっても構成・機能は同一である。
【００４３】
錠前１は内部空間７０に内装された状態でフロント板、取付け長板等を介して扉１３に固定的に取付けられている。また。錠箱２は、本実施例では連結部材７２、支持板等を介して扉に固定されている。
【００４４】
さて、図７で示すように、扉の開口８１からは連結部材７２及び該連結部材の中央部内に回転可能に設けられたサムターンダルマ７１が見える。さらに、前述した入力部材のリード線３０及びコネクタ３１が、扉の開口８１を通して手前側に引き出されている。
【００４５】
図８は本発明の要部である取付け板４０と扉１３の内壁面２２との関係を示している。アルミニューム製の扉は、壁面側から力が加わると、普通一般に変形し易い。そこで、本実施例の取付け板４０は、発明の主たる目的（扉に極力加工を施さない）の他に、二次的に目的（扉の変形防止）を持たせている。
【００４６】
長板状の硬い取付け板４０は、制御箱４５を安定的に固定することができるように、制御箱４５の幅と略同一の幅を有している。また、サムターン４８及び内側ハンドル１０を装着することができるように開口部や嵌挿孔を有している。さらに、入力部材側のコネクタ３１と．制御箱側のコネクタ２４を合理的に収納させるためにある程度の厚みを持たせている。
【００４７】
すなわち、８５は中央部に形成された円形あるいは角形の開口部で、この開口部８５は扉第１嵌合孔８１に符合する。この開口部８５からは、図９で示すように連結部材７２及びサムターンダルマ７１が見える。８６は円形開口部８５に連通するように上方の部位に形成された切欠凹所で、この切欠凹所８６には前述した入力部材側のコネクタ３１．制御箱側のコネクタ２４が収納される（図１４参照）。一方、８６ａは円形開口部８５に連通するように下方の部位に形成された予備的切欠凹所である。８７は前記上方の切欠凹所８６を基準に左右部位と上方中央部部位にそれぞれ形成された小ネジ孔である。
【００４８】
一方、８８は下端部の中央部に形成された内側ハンドル１０用の嵌挿孔で、この嵌挿孔８８は扉第２嵌合孔８２に対応する。この嵌挿孔８８を基準にした下端部の左右部位には、第１固着具３９．３９用の取付け孔４１．４１が形成されている。
【００４９】
図９及び図１０で示すように、長板状の取付け板４０は、その円形開口部８５及び嵌挿孔８８が扉１３側の嵌合孔８１．８２に一致するように位置決めされた状態で扉１３の内壁面２２に添設され、かつ、前述したように取付け孔４１に差し込まれた固着具３９、該固着具３９と螺合するメネジ杆２１を有する外側ハンドル用取付け座２０を介して前記内壁面２２に仮固定される。
【００５０】
しかして、取付け板４０を扉内壁面２２に固定する際、図９及び図１０で示すように入力部材のリード線３０及びコネクタ３１を手前側に引き出して固定する。制御箱４５は、この段階で取付け板４０に直接固定しても良いが、本実施例では、合成樹脂製の制御箱４５の脱着の利便性、取付ける方または取付けられる方の係合片の破損性等の観点から、図１１で示す金属製（剛性）の支持板９１を介して制御箱４５を取付け板４１の上面に固定している。
【００５１】
図１１乃至図１３を参照にして支持板９１の構成を説明する。支持板９１は取付け板４０と略同一幅の矩形状に形成されている。支持板９１はサムターン４８を備えた制御箱４５を係合支持或いは固着具を介して固定することができれば十分であるから、制御箱４５の大きさを考慮してその幅や長さ寸法が設定されている。
【００５２】
しかして、９２は支持板９１の下端部の中央部に形成された切欠或いはサムターンの軸４８ａ用の嵌挿孔で、この嵌挿孔９２は連結部材７２のサムターンダルマ７１の軸線と一致する。したがって、支持板９１は、その嵌挿孔９２がサムターンダルマ７１の被係合部７１ａと完全に一致するように位置決めされた状態で取付け板４０の上面に添設される。
【００５３】
９３．９３は、支持板９１を位置決めした際に錠箱２の連結部材７２の連結メネジ部（連結部）７６．７６と符合する第２固着具７７．７７用の孔である。これらの孔７７．７７を介して連結部材７２の前記連結メネジ部７６．７６に取付け板４０を間接的に扉１３の内壁面２２に固定するための第２固着具７７．７７がそれぞれ螺合する。９４は支持板９１の中央部（中央部寄りの部位も含む）に形成された矩形状の窓で、この窓９４を介して入力部材のリード線３０及びコネクタ３１が手前側に引き出される。支持板９１の窓９４は、コネクタ３１．２４（場合によってはリード線３０．２３の一部）を前述した取付け板４０の上方切欠凹所８６に収納させるために利用されることから、少なくとも前記上方切欠凹所８６に連通する。
【００５４】
図１４は、切欠凹所８６に入力部材側のコネクタ３１と、これに電気的に接続した制御箱側のコネクタ２４が収納された状態を示している。これによって、扉１３の内壁面２２にコネクタ用の収納凹所を加工追加しないで済むと共に、のコネクタ３１．２４同士の接続も容易になる。
【００５５】
ところで、支持板９１は第２固着具７７．７７でも十分に取付け板４０に固着されるが、本実施例では、さらに、取付け板４０の小ネジ孔８７に符合する合計３個の貫通小孔６５が形成されている。したがって、支持板９１は、これらの貫通小孔６５にそれぞれ差し込まれ、かつ、取付け板４０の小ネジ孔８７に螺合するオネジ９６によっても固定されている（図１２参照）。
【００５６】
９７は支持板９１の上端部の中央部に端面アングル状に折り曲げ形成された制御箱用のアーム型取付け部である。この取付け部９７には、錠箱４５の外壁の中央部に形成された孔９８に差し込まれる取付け手段１００（たとえばオネジ）と螺合するメネジ部９９が設けられている。
【００５７】
また、１０１．１０１は、支持板９１の突設された左右一対の係合片で、これらの係合片１０１．１０１の適宜箇所には係合長孔１０２．１０２がそれぞれ形成されている。本実施例では特に図示しないが、制御箱４５の左右の側壁には、弾性変位及び弾性復帰可能な係合爪が設けられ、これらの係合爪が前記係合片１０１．１０１の係合長孔１０２．１０２に係脱する。
【００５８】
したがって、制御箱４５は取付け手段１００を介して取付け板４０に直接又は間接的に取り付けられる。
【００５９】
【実施例】
携帯型情報記憶媒体５１は、合鍵５０と別体（吊り下げ型）であるが、合鍵５０自体に携帯型情報記憶媒体５１を埋設しても良い（一体型）。また入力部の起動用スイッチは押しボタン式の接触型であるが、人体の接近を感応する非接触型でも良い。
【００６０】
また  入力部は、情報交信手段、リモコン等の非接触型の受信部２８であるが、接触型（例えば指で信号を入力することができるテンキー）であっても良い。したがって、声紋、眼球などを検知する公知の入力部は、受信部２８の置換事項に過ぎない。
【００６１】
また、取付け板４０と支持板９１は、別個に成形されているが、取付け板４０と支持板９１を一体に成形しても良い。
【００６２】
【発明の効果】
以上の説明から明らかなように、本発明にあっては、次に列挙するような効果がある。
（１）扉や機械式錠前に対して、極力、孔、切欠等の加工を施さないで電気錠の制御箱を後付することができる。したがって、特に集合住宅の転居・入居時に扉に対する現状回復義務との関係で有効である。
（２）前記主たる目的を前提にし、ハンドル用取付け座、固着具等を利用して、扉の内壁面に制御箱を簡単かつ強固に固定することができる。また、入力手段用の収納部を有する取付け入力板も、制御箱と同様に外側ハンドル用取付け座、取付け板等を利用して、扉の外壁面に固定することができる。
（３）特に扉がアルミニューム製の場合、扉の内壁面が変形しないように制御箱を固定することができる。
（４）扉の外壁面側に固定された電気錠の入力部材のコネクタと、扉の内壁面側に固定された電気錠の制御箱のコネクタを扉の内壁面側に固定された取付け板に合理的に収納できる。
（５）錠箱の連結部材を特定要件とする発明は、支持板、第２固着具を介して取付け板を扉の内壁面に強固に固定することができる。また、本発明の主たる目的も達成することができる。
（６）支持板を有する発明は、制御箱に対する固定や脱着が容易である。
（７）機械式錠前に電気錠の機能を加味し、該錠前を電動式でも施・解錠することができるようにすることができる。
【図面の簡単な説明】
図１乃至図１５は本発明の一実施例を示す各説明図。
【図１】（イ）機械式錠前の一例を示す説明図。（ロ）扉に前記機械式錠前を取付けた一例を示す概略説明図。
【図２】本発明の入力部材の一例を示す概略説明図。
【図３】扉の錠箱に入力部材と制御箱とを後付した状態の概略説明図。
【図４】後付けした場合の電気錠の電気回路を示すブロック図。
【図５】入力部材と携帯型情報記憶媒体との交信の一例を示す説明図。
【図６】扉の内部空間に機械式錠前が組み込まれている状態を扉の内壁面側から見た説明図。
【図７】図６に於いて、扉の内壁面が存在する状態で見た説明図。
【図８】扉の内壁面と取付け板との関係を示す斜視図。
【図９】内壁面に取付け板を固定した状態の説明図。
【図１０】図９に於いて、概略断面説明図。
【図１１】支持板、連結部材、第２固着具の斜視図。
【図１２】取付け板に支持板を固定した説明図。
【図１３】扉の内壁面に支持板を介して取付け板を固定した説明図。
【図１４】取付け板の切欠凹所にコネクタを収納した説明図。
【図１５】取付け板に支持板を介して制御箱を取付けた説明図。
【符号の説明】
１…機械式錠前、２…錠箱、２ａ…一側壁、３…デッドボルト、５…第１嵌合孔、６…第２嵌合孔、７…シリンダ錠、８…外側ハンドル、１１…係合部、１３…扉、１４…扉の外壁面、１５…扉第１嵌合孔、１６…扉第２嵌合孔、１７…扉貫通孔、２０…取付け座、２１…メネジ杆、２２…扉の内壁面、２５…取付け入力板、２６…収納部、２７…制御部用起動スイッチ、２８…入力部（受信部）、３２…上方の嵌挿孔、３３…嵌合筒部、３５…下方の嵌挿孔、３６．３６Ａ…取付け孔、３９…固着具、４０…裏側の取付け入力板、４１…取付け孔、４５…制御箱、４６…電源部、４７…制御部、４８…サムターン、４８ａ…サムターンの軸、５０…合鍵、５１…携帯型情報記憶媒体、５６…送信部、６０…データ読み取り回路、６１…データ照合判別回路、６３…駆動源制御回路、６４…駆動源、６５…動力伝達機構、７０…内部空間、７１…サムターンダルマ、７２…連結部材、７３…差込みアーム部、７７…第２固着具、７８…内側ハンドル用嵌合孔、７９…カム軸、８１．８２…扉孔（嵌合孔或いは開口）、８３…扉貫通孔、８５…開口部、８６…切欠凹所、８７…小ネジ孔、８８…内側ハンドル用嵌挿孔、９１…支持板、９２…サムターン用嵌挿孔、９３…第２固着具用孔、９４…窓、９５…貫通小孔、９６…オネジ、９７…制御箱用取付け部、９９…メネジ部、１００…取付け手段、１０１…係合片。
【図１】
2005023649.tif 000003
【図２】
2005023649.tif 000004
【図３】
2005023649.tif 000005
【図４】
2005023649.tif 000006
【図５】
2005023649.tif 000007
【図６】
2005023649.tif 000008
【図７】
2005023649.tif 000009
【図８】
2005023649.tif 000010
【図９】
2005023649.tif 000011
【図１０】
2005023649.tif 000012
【図１１】
2005023649.tif 000013
【図１２】
2005023649.tif 000014
【図１３】
2005023649.tif 000015
【図１４】
2005023649.tif 000016
【図１５】
2005023649.tif 000017